(57)【特許請求の範囲】
【請求項１】
クロック信号を出力する低速クロック生成手段と、
前記低速クロック生成手段から入力されるクロック信号を各々別の周期で分周し、前記それぞれ分周したクロック信号を交互に選択することで平均化して、１スロット時間に１度立ち上がるパルス信号となるスロットタイミング信号を出力する平均化手段と、
前記スロットタイミング信号が入力される度にカウント値をインクリメントし、前記カウント値が予め設定された値に一致すると、一致したことを表す一致信号を出力するセービングカウンタと、
前記一致信号が入力されてから１スロット時間だけ受信を行う受信手段とを有することを特徴とする受信機。
【請求項２】
平均化手段は、低速クロック生成手段からクロック信号の入力を受ける度にカウント値をインクリメントするスロットカウンタと、
前記スロットカウンタのカウント値を予め設定されている第１の値と比較して、一致すると一致したことを表すパルス信号を出力する第１のデコーダと、
前記スロットカウンタのカウント値を予め設定されている第２の値と比較して、一致すると一致したことを表すパルス信号を出力する第２のデコーダと、
前記第１のデコーダと前記第２のデコーダとが出力するパルス信号を交互に選択して、１スロット時間に１度立ち上がるパルス信号となるスロットタイミング信号を外部に出力するセレクタとを有する平均化手段であることを特徴とする請求項１記載の受信機。
【請求項３】
時計用のクロックを具備する受信機であって、
前記低速クロック生成手段は、前記時計用のクロックであることを特徴とする請求項１又は請求項２記載の受信機。
【請求項４】
時計用のクロックから入力されるクロック信号を各々別の周期で分周し、それぞれ分周したクロック信号を交互に選択することで平均化して、１スロット時間あたりに１つのパルス信号となるスロットタイミング信号を生成し、前記スロットタイミング信号をカウントして、予め設定した一定の数に達するごとに、１スロット時間だけ受信を行うことを特徴とする間欠フレーム同期方法。
【請求項５】
クロック信号を出力する低速クロック生成手段と、
前記クロック信号を各々別々の周期で分周し、前記それぞれ分周したクロック信号を交互に選択することで平均化して、１スロット時間に１度立ち上がるパルス信号となるスロットタイミング信号を生成する平均化手段と、
前記スロットタイミング信号をカウントし、予め設定された値になると、一致信号を出力するセービングカウンタと、
前記一致信号が出力されてから１スロットの時間だけ受信を行う受信手段と、
為すべき処理がない状態になると、停止状態となり、割り込み信号の入力を受けて、処理を再開するＭＰＵを備え、
前記ＭＰＵが停止状態になると、高速クロックの生成を停止するための高速クロック制御信号を出力する制御手段と、
前記セービングカウンタから一致信号の入力を受けると、予め設定された一定時間が経過してから前記ＭＰＵに割り込み信号を出力するディレイ回路と、
前記高速クロックの生成を停止するための高速クロック制御信号の入力を受けて、高速クロックの生成を停止し、前記セービングカウンタから一致信号の入力を受けて、高速クロックの生成を開始する高速クロック生成手段とを有することを特徴とする受信機。
【請求項６】
無線信号を受信してディジタル信号に復調する受信機と、
ディジタル信号を変調して無線信号として送信する送信部と、
前記ディジタル信号の信号処理を行う制御部と、
前記ディジタル信号と音声信号との変換を行う音声処理部と、
音声を出力する音声出力部と、
音声を入力する音声入力部とを備え、
前記受信機が請求項１記載の受信機であることを特徴とする携帯端末。
【請求項７】
無線信号を受信してディジタル信号に復調する受信機と、
ディジタル信号を変調して無線信号として送信する送信部と、
前記ディジタル信号の信号処理を行う制御部と、
前記ディジタル信号と音声信号との変換を行う音声処理部と、
音声を出力する音声出力部と、
音声を入力する音声入力部とを備え、
前記受信機が請求項２記載の受信機であることを特徴とする携帯端末。
【請求項８】
無線信号を受信してディジタル信号に復調する受信機と、
ディジタル信号を変調して無線信号として送信する送信部と、
前記ディジタル信号の信号処理を行う制御部と、
前記ディジタル信号と音声信号との変換を行う音声処理部と、
音声を出力する音声出力部と、
音声を入力する音声入力部とを備え、
前記受信機が請求項３記載の受信機であることを特徴とする携帯端末。
【請求項９】
無線信号を受信してディジタル信号に復調する受信機と、
ディジタル信号を変調して無線信号として送信する送信部と、
前記ディジタル信号の信号処理を行う制御部と、
前記ディジタル信号と音声信号との変換を行う音声処理部と、
音声を出力する音声出力部と、
音声を入力する音声入力部とを備え、前記受信機が請求項５記載の受信機であることを特徴とする携帯端末。
【請求項１０】
クロック信号を出力する低速クロック生成手段と、
前記クロック信号から１スロット時間に１度立ち上がるパルス信号となるスロットタイミング信号を生成する平均化手段と、
前記スロットタイミング信号をカウントし、予め設定された値になると、一致信号を出力するセービングカウンタと、
前記一致信号が出力されてから予め設定された１スロット時間だけ受信を行う受信手段と、
為すべき処理がない状態になると、停止状態となり、割り込み信号の入力を受けて、処理を再開するＭＰＵを備え、
前記ＭＰＵが停止状態になると、高速クロックの生成を停止するための高速クロック制御信号を出力する制御手段と、
前記セービングカウンタから一致信号の入力を受けると、予め設定された一定時間が経過してから前記ＭＰＵに割り込み信号を出力するディレイ回路と、
前記高速クロックの生成を停止するための高速クロック制御信号の入力を受けて、高速クロックの生成を停止し、前記セービングカウンタから一致信号の入力を受けて、高速クロックの生成を開始する高速クロック生成手段とを有し、
前記平均化手段が、前記低速クロック生成手段からクロック信号の入力を受ける度にカウント値をインクリメントするスロットカウンタと、
前記スロットカウンタのカウント値を予め設定されている第１の値と比較して、一致すると一致したことを表すパルス信号を出力する第１のデコーダと、
前記スロットカウンタのカウント値を予め設定されている第２の値と比較して、一致すると一致したことを表すパルス信号を出力する第２のデコーダと、
前記第１のデコーダと前記第２のデコーダとが出力するパルス信号を交互に選択して、１スロット時間に１度立ち上がるパルス信号となるスロットタイミング信号を外部に出力するセレクタとを有する平均化手段であり、
前記受信手段が、受信信号中から同期ワードを検出して前記同期ワードを検出したことを表すパルス信号を出力するＳＷ検出器と、
前記ＳＷ検出器から前記パルス信号が入力されると、前記予め設定された１スロット時間を計時してから終了タイミング信号を出力するスロットカウンタとを有する受信手段であることを特徴とする受信機。
【請求項１１】
ＳＷ検出器が複数の通信方式毎に対応して複数設けられたＳＷ検出器であり、
制御手段が、前記複数の通信方式毎に対応して、第１のデコーダと、第２のデコーダと、セービングカウンタと、スロットカウンタとに設定するデータの組を記憶している記憶部を備えた制御手段であり、
ＭＰＵが、外部から入力された通信方式を選択する信号に基づいて、前記記憶部を参照して、前記選択された通信方式に対応するデータの組を選択し、前記組に含まれるデータを前記第１のデコーダと、前記第２のデコーダと、前記セービングカウンタと、前記スロットカウンタとに設定し、前記複数のＳＷ検出器の中から、前記選択された通信方式に対応するＳＷ検出器を選択して動作させるＭＰＵであることを特徴とする請求項１０記載の受信機。
【請求項１２】
無線信号を受信してディジタル信号に復調する受信機と、ディジタル信号を変調して無線信号として送信する送信部と、
前記ディジタル信号の信号処理を行う制御部と、
前記ディジタル信号と音声信号との変換を行う音声処理部と、
音声を出力する音声出力部と、
音声を入力する音声入力部とを備え、
前記受信機が請求項１１記載の受信機であることを特徴とする携帯端末。
【請求項１３】
複数の通信方式として、パーソナル・ディジタル・セルラー方式と、パーソナル・ハンディホン・システム方式を含むことを特徴とする請求項１２記載の携帯端末。
【発明の詳細な説明】
【０００１】
【発明の属する技術分野】
本発明は、携帯電話機等に用いられる受信機及び間欠フレーム同期方法及びそれらを用いた携帯端末に係り、特に消費電力を低減でき、コストを低減できる受信機及び間欠フレーム同期方法及び携帯端末に関する。
【０００２】
【従来の技術】
近年の携帯電話機やページャ等の移動無線機では、時計機能や電話帳機能など高機能化が図られている。
また、その一方で、限られた容量のバッテリーで長時間の使用を可能にするために、さまざまな方法で消費電力の低減を図っている。このような消費電力の低減の方法は、バッテリーセービングと呼ばれている。
【０００３】
バッテリーセービングは、例えば、待ち受け時には、基地局から信号を受信するタイミング以外では、受信機に電源を供給しない等の手段によって実現されている。待ち受け時における、このようなバッテリーセービングの方法は、基地局から送信される信号がフレームと呼ばれる時間の単位に分割されていることに着目したもので、「間欠フレーム同期方法」とも呼ばれている。
【０００４】
従来の間欠フレーム同期方法では、専用の水晶発振子を用いてクロックを発生させ、当該クロックの信号に基づいて、受信すべきフレームが到来するタイミング（間欠受信タイミング）を検出していた。
【０００５】
また、従来の携帯無線電話として、制御モード中に、低周波発振器と前回受信したタイミング情報とに基づいて、遠隔トランシーバからページング情報を受信しないスリープ期間の時間を算出し、該スリープ期間の間は装置の一部をシャットダウンして、遠隔トランシーバからページング情報を間欠的に受信することにより消費電力を低減するようにしたものもあった（特表平８―５０４０７５号公報参照）。
【０００６】
【発明が解決しようとする課題】
しかしながら、このような従来の間欠フレーム同期方法では、間欠タイミング用のクロックを発生するための専用の水晶発振子が必要であり、ＭＰＵ用の水晶発振子と、時計機能のための水晶発振子とを考慮すると、合計３つの水晶発振子を用いることとなって、コストがかかり、移動無線機を小型にできず、また、特に受信すべきフレームの間隔が長い場合には高い精度が要求され、さらに、クロックが高速である場合には、消費電力が十分低減できないという問題点があった。
【０００７】
本発明は上記実情に鑑みて為されたもので、間欠受信タイミング生成の精度を維持しつつ、消費電力を低減でき、さらにコストを低減できる受信機及び間欠フレーム同期方法及び携帯端末を提供することを目的とする。
【０００８】
【課題を解決するための手段】
上記従来例の問題点を解決するための請求項１記載の発明は、受信機において、クロック信号を出力する低速クロック生成手段と、前記低速クロック生成手段から入力されるクロック信号を各々別の周期で分周し、前記それぞれ分周したクロック信号を交互に選択することで平均化して、１スロット時間に１度立ち上がるパルス信号となるスロットタイミング信号を出力する平均化手段と、前記スロットタイミング信号が入力される度にカウント値をインクリメントし、前記カウント値が予め設定された値に一致すると、一致したことを表す一致信号を出力するセービングカウンタと、前記一致信号が入力されてから１スロット時間だけ受信を行う受信手段とを有することを特徴としており、消費電力を低減でき、コストを低減でき、間欠受信タイミングの精度を維持できる。
【０００９】
上記従来例の問題点を解決するための請求項２記載の発明は、請求項１記載の受信機において、平均化手段は、低速クロック生成手段からクロック信号の入力を受ける度にカウント値をインクリメントするスロットカウンタと、前記スロットカウンタのカウント値を予め設定されている第１の値と比較して、一致すると一致したことを表すパルス信号を出力する第１のデコーダと、前記スロットカウンタのカウント値を予め設定されている第２の値と比較して、一致すると一致したことを表すパルス信号を出力する第２のデコーダと、前記第１のデコーダと前記第２のデコーダとが出力するパルス信号を交互に選択して、１スロット時間に１度立ち上がるパルス信号となるスロットタイミング信号を外部に出力するセレクタとを有する平均化手段であることを特徴としており、消費電力を低減でき、コストを低減でき、間欠受信タイミングの精度を維持できる。
【００１０】
上記従来例の問題点を解決するための請求項３記載の発明は、請求項１又は請求項２記載の受信機において、時計用のクロックを具備し、前記低速クロック生成手段は、前記時計用のクロックであることを特徴としており、消費電力を低減でき、コストを低減でき、間欠受信タイミングの精度を維持できる。
【００１１】
上記従来例の問題点を解決するための請求項４記載の発明は、間欠フレーム同期方法において、時計用のクロックから入力されるクロック信号を各々別の周期で分周し、それぞれ分周したクロック信号を交互に選択することで平均化して、１スロット時間あたりに１つのパルス信号となるスロットタイミング信号を生成し、前記スロットタイミング信号をカウントして、予め設定した一定の数に達するごとに、１スロット時間だけ受信を行うことを特徴としており、消費電力を低減でき、コストを低減でき、間欠受信タイミングの精度を維持できる。
【００１２】
上記従来例の問題点を解決するための請求項５記載の発明は、受信機において、クロック信号を出力する低速クロック生成手段と、前記クロック信号を各々別々の周期で分周し、前記それぞれ分周したクロック信号を交互に選択することで平均化して、１スロット時間に１度立ち上がるパルス信号となるスロットタイミング信号を生成する平均化手段と、前記スロットタイミング信号をカウントし、予め設定された値になると、一致信号を出力するセービングカウンタと、前記一致信号が出力されてから１スロットの時間だけ受信を行う受信手段と、為すべき処理がない状態になると、停止状態となり、割り込み信号の入力を受けて、処理を再開するＭＰＵを備え、前記ＭＰＵが停止状態になると、高速クロックの生成を停止するための高速クロック制御信号を出力する制御手段と、前記セービングカウンタから一致信号の入力を受けると、予め設定された一定時間が経過してから前記ＭＰＵに割り込み信号を出力するディレイ回路と、前記高速クロックの生成を停止するための高速クロック制御信号の入力を受けて、高速クロックの生成を停止し、前記セービングカウンタから一致信号の入力を受けて、高速クロックの生成を開始する高速クロック生成手段とを有することを特徴としており、消費電力を低減でき、コストを低減でき、間欠受信タイミングの精度を維持できる。
【００１３】
上記従来例の問題点を解決するための請求項６記載の発明は、携帯端末において、無線信号を受信してディジタル信号に復調する受信機と、ディジタル信号を変調して無線信号として送信する送信部と、前記ディジタル信号の信号処理を行う制御部と、前記ディジタル信号と音声信号との変換を行う音声処理部と、音声を出力する音声出力部と、音声を入力する音声入力部とを備え、前記受信機が請求項１記載の受信機であることを特徴としており、バッテリーセービングを実現するためのクロック信号を他のクロック信号と共用することができ、消費電力を低減でき、かつコストを低減でき、かつ平均化手段を用いることで、間欠受信タイミングの精度を維持できる。
【００１４】
上記従来例の問題点を解決するための請求項７記載の発明は、携帯端末において、無線信号を受信してディジタル信号に復調する受信機と、ディジタル信号を変調して無線信号として送信する送信部と、前記ディジタル信号の信号処理を行う制御部と、前記ディジタル信号と音声信号との変換を行う音声処理部と、音声を出力する音声出力部と、音声を入力する音声入力部とを備え、前記受信機が請求項２記載の受信機であることを特徴としており、携帯端末において、バッテリーセービングを実現するためのクロック信号を他のクロック信号と共用することができ、消費電力を低減でき、かつコストを低減でき、また、各々別の周期で分周したクロック信号を平均化することで、間欠受信タイミングの精度を高めることができる。
【００１５】
上記従来例の問題点を解決するための請求項８記載の発明は、携帯端末において、無線信号を受信してディジタル信号に復調する受信機と、ディジタル信号を変調して無線信号として送信する送信部と、前記ディジタル信号の信号処理を行う制御部と、前記ディジタル信号と音声信号との変換を行う音声処理部と、音声を出力する音声出力部と、音声を入力する音声入力部とを備え、前記受信機が請求項３記載の受信機であることを特徴としており、バッテリーセービングを実現するためのクロック信号を時計用のクロック信号と共用することができ、消費電力を低減でき、かつコストを低減でき、間欠受信タイミングの精度を維持することができる。
【００１６】
上記従来例の問題点を解決するための請求項９記載の発明は、携帯端末において、無線信号を受信してディジタル信号に復調する受信機と、ディジタル信号を変調して無線信号として送信する送信部と、前記ディジタル信号の信号処理を行う制御部と、前記ディジタル信号と音声信号との変換を行う音声処理部と、音声を出力する音声出力部と、音声を入力する音声入力部とを備え、前記受信機が請求項５記載の受信機であることを特徴としており、バッテリーセービングを実現するためのクロック信号を他のクロック信号と共用することができ、かつ為すべき処理がない間は、ＭＰＵに対するクロック信号の供給を停止できるため、消費電力を低減でき、コストを低減でき、平均化手段を用いることで、間欠受信タイミングの精度を維持できる。
【００１７】
上記従来例の問題点を解決するための請求項１０記載の発明は、受信機において、クロック信号を出力する低速クロック生成手段と、前記クロック信号から１スロット時間に１度立ち上がるパルス信号となるスロットタイミング信号を生成する平均化手段と、前記スロットタイミング信号をカウントし、予め設定された値になると、一致信号を出力するセービングカウンタと、前記一致信号が出力されてから予め設定された１スロット時間だけ受信を行う受信手段と、為すべき処理がない状態になると、停止状態となり、割り込み信号の入力を受けて、処理を再開するＭＰＵを備え、前記ＭＰＵが停止状態になると、高速クロックの生成を停止するための高速クロック制御信号を出力する制御手段と、前記セービングカウンタから一致信号の入力を受けると、予め設定された一定時間が経過してから前記ＭＰＵに割り込み信号を出力するディレイ回路と、前記高速クロックの生成を停止するための高速クロック制御信号の入力を受けて、高速クロックの生成を停止し、前記セービングカウンタから一致信号の入力を受けて、高速クロックの生成を開始する高速クロック生成手段とを有し、前記平均化手段が、前記低速クロック生成手段からクロック信号の入力を受ける度にカウント値をインクリメントするスロットカウンタと、前記スロットカウンタのカウント値を予め設定されている第１の値と比較して、一致すると一致したことを表すパルス信号を出力する第１のデコーダと、前記スロットカウンタのカウント値を予め設定されている第２の値と比較して、一致すると一致したことを表すパルス信号を出力する第２のデコーダと、前記第１のデコーダと前記第２のデコーダとが出力するパルス信号を交互に選択して、１スロット時間に１度立ち上がるパルス信号となるスロットタイミング信号を外部に出力するセレクタとを有する平均化手段であり、前記受信手段が、受信信号中から同期ワードを検出して前記同期ワードを検出したことを表すパルス信号を出力するＳＷ検出器と、前記ＳＷ検出器から前記パルス信号が入力されると、前記予め設定された１スロット時間を計時してから終了タイミング信号を出力するスロットカウンタとを有する受信手段であることをを特徴としており、バッテリーセービングを実現するためのクロック信号を他のクロック信号と共用することができ、かつ為すべき処理がない間は、ＭＰＵに対するクロック信号の供給を停止できるため、消費電力を低減でき、かつコストを低減することができ、また、各々別の周期で分周したクロック信号を平均化することで、間欠受信タイミングの精度を高めることができる。
【００１８】
上記従来例の問題点を解決するための請求項１１記載の発明は、請求項１０記載の受信機において、ＳＷ検出器が複数の通信方式毎に対応して複数設けられたＳＷ検出器であり、
制御手段が、前記複数の通信方式毎に対応して、第１のデコーダと、第２のデコーダと、セービングカウンタと、スロットカウンタとに設定するデータの組を記憶している記憶部を備えた制御手段であり、ＭＰＵが、外部から入力された通信方式を選択する信号に基づいて、前記記憶部を参照して、前記選択された通信方式に対応するデータの組を選択し、前記組に含まれるデータを前記第１のデコーダと、前記第２のデコーダと、前記セービングカウンタと、前記スロットカウンタとに設定し、前記複数のＳＷ検出器の中から、前記選択された通信方式に対応するＳＷ検出器を選択して動作させるＭＰＵであることを特徴としており、複数の通信方式の内、選択された通信方式に対応した間欠受信タイミングを生成することにより、１台の受信機で複数の通信方式の信号を間欠受信することができ、消費電力及びコストを低減し、更に利便性を向上させることができる。
【００１９】
上記従来例の問題点を解決するための請求項１２記載の発明は、携帯端末において、無線信号を受信してディジタル信号に復調する受信機と、ディジタル信号を変調して無線信号として送信する送信部と、前記ディジタル信号の信号処理を行う制御部と、前記ディジタル信号と音声信号との変換を行う音声処理部と、音声を出力する音声出力部と、音声を入力する音声入力部とを備え、前記受信機が請求項１１記載の受信機であることを特徴としており、携帯端末において、複数の通信方式の内、選択された通信方式に対応した間欠受信タイミングを生成することにより、１台の受信機で複数の通信方式の信号を間欠受信することができ、消費電力及びコストを低減し、更に利便性を向上させることができる。
【００２０】
上記従来例の問題点を解決するための請求項１３記載の発明は、請求項１２記載の携帯端末において、複数の通信方式として、パーソナル・ディジタル・セルラー方式と、パーソナル・ハンディホン・システム方式を含むことを特徴としており、１台の携帯端末でＰＤＣ方式とＰＨＳ方式の両方の信号を間欠受信することができ、消費電力及びコストを低減し、更に利便性を向上させることができる。
【００２１】
【発明の実施の形態】
本発明の実施の形態について図面を参照しながら説明する。
本発明の第１の実施の形態に係る受信機及びそれにおける間欠フレーム同期方法は、例えば時計用の低速なクロック信号を用いて、間欠受信のタイミングを生成し、間欠的な受信の動作を行って、消費電力を低減でき、コストを低減できるものであり、さらに、平均化手段を用いて間欠受信タイミングの精度を維持しているものである。
【００２２】
本発明の第１の実施の形態に係る受信機（第１の本受信機）について、図１を参照しつつ説明する。図１は、第１の本受信機の構成ブロック図である。
第１の本受信機は、図１に示すように、低速クロック生成手段１と、平均化手段２と、セービングカウンタ３と、受信手段４とから主に構成されている。
【００２３】
以下、各部を具体的に説明する。
低速クロック生成手段１は、３２ｋＨｚ前後の低速なクロック信号を発生して出力するものである。このような低速なクロックとしては、具体的には、時計用のクロック（発振周波数が３２．７６８ｋＨｚのもの）が考えられる。但し、低速クロック生成手段１３はこれに限るものではなく、装置の基準クロックとなる高速クロックの周波数より低い周波数を生成するものであれば構わない。
【００２４】
平均化手段２は、低速クロック生成手段１からクロック信号の入力を受けて、分周、平均化して、１スロット時間あたり１つのパルス信号を出力するものである。
当該パルス信号を以下、「スロットタイミング信号」と称する。
尚、平均化手段２についての詳細は、後述する。
【００２５】
セービングカウンタ３は、平均化手段２からスロットタイミング信号の入力を受けるたびにカウント値をインクリメントするものである。
また、セービングカウンタ３は、カウント値と予め設定された値とが一致すると、一致したことを表す信号（一致信号）を出力するものである。
受信手段４は、一致信号の入力を受けて起動し、受信動作を行うものである。
【００２６】
ここで、平均化手段２について、より具体的に説明する。平均化手段２は、図１に示すように、スロットカウンタ２１と、第１のデコーダ２２ａと、第２のデコーダ２２ｂと、セレクタ２３とから基本的に構成されている。
【００２７】
以下、平均化手段２の各部を具体的に説明すると、スロットカウンタ２１は、低速クロック生成手段１からクロック信号の入力を受けると、カウント値をインクリメントして、当該カウント値を出力し、１スロット分の時間をカウントするとカウント値をリセットするものである。
すなわち、低速なクロック信号として３２．７６８ｋＨｚのものを用いるとすると、スロットカウンタ２１は、１／３２７６８秒ごとにカウント値をインクリメントするようになる。
【００２８】
第１のデコーダ２２ａは、スロットカウンタ２１からカウント値の入力を受けて、予め設定されたデコーダ値（第１のデコーダ値）と比較し、当該デコーダ値と一致すると、一致したことを表すパルス信号を出力するものである。
【００２９】
第２のデコーダ２２ｂは、スロットカウンタ２１からカウント値の入力を受けて、予め設定されたデコーダ値（第２のデコーダ値）と比較し、当該デコーダ値と一致すると、一致したことを表すパルス信号を出力するものである。
ここで、第１のデコーダ値と第２のデコーダ値とは、後に説明するように、一般に異なるものである。
【００３０】
すなわち、第１，第２のデコーダ２２は、入力されたクロック信号をそれぞれ異なる周期で分周するものである。
【００３１】
セレクタ２３は、第１，第２のデコーダ２２からそれぞれパルス信号の入力を受けて、交互に選択して、そのままスロットタイミング信号として出力するものである。
すなわち、セレクタ２３は、第１，第２のデコーダ２２が分周したクロック信号を平均化するものである。
【００３２】
第１，第２のデコーダ２２に設定するデコーダ値は、次のようにして決められているものである。尚、以下の説明では、低速クロック生成手段１は３２．７６８ｋＨｚのクロック信号を出力しているとし、第１の本受信機をＰＤＣ（Personal Digital Cellular ）方式に適用する場合を例にとって説明する。
【００３３】
ＰＤＣ方式では、１０８個のスロットあたり、１個のスロットを受信することとなる。
すなわち、スーパーフレームは、１０８個のスロットを備えている。
また、ＰＤＣ方式では、１個のスーパーフレームが７２０ミリ秒（ｍｓ）の時間で受信されるので、１スロットあたりの時間は、７２０／１０８ｍｓ、つまり、およそ６．６７ｍｓとなる。
【００３４】
そこで、デコーダ値として、１６進数で「ＤＡｈ」としたとき、すなわち、１０進数で「２１８」としたときには、デコーダ２２は以下の［数１］に表される時刻にパルス信号を出力するようになる。
【００３５】
【数１】
0004001686.tif 000002
【００３６】
また、デコーダ値として、１６進数で「ＤＢｈ」、つまり、１０進数で「２１９」を設定した場合には、デコーダは以下の［数２］に表される時刻にパルス信号を出力するようになる。
【００３７】
【数２】
0004001686.tif 000003
【００３８】
そこで、第１のデコーダ２２ａには、第１のデコーダ値として１６進数の「ＤＡｈ」を、第２のデコーダ２２ｂには、第２のデコーダ値として１６進数の「ＤＢｈ」をそれぞれ設定し、セレクタ２３にて交互に選択するようにすれば、［数１］及び［数２］に表されるパルス信号を出力する時刻が平均化されて、次の［数３］に示すように、数マイクロ秒（μｓ）程度のずれしか生じないようになる。この時間は、およそ３シンボル分程度である。
【００３９】
【数３】
0004001686.tif 000004
【００４０】
次に第１の本受信機の動作について説明する。
低速クロック生成手段１が出力する低速なクロック信号は、平均化手段２によって平均化されて、スロットタイミング信号として出力される。
【００４１】
すると、セービングカウンタ３がスロットタイミング信号の入力を受けるたびに、カウント値をインクリメントし、予め設定されている値に一致するようになると、一致信号を出力する。
ここで、セービングカウンタ３に予め設定されている値は、１個のスーパーフレームあたりのスロットの数であり、上記のＰＤＣの例では、「１０８」となる。つまり、一致信号は、１０８スロットあたり一度立ち上がるパルス信号であり、間欠受信タイミングを表す信号である。
【００４２】
そして、受信手段４が、セービングカウンタ３から一致信号の入力を受けて起動し、受信動作を行うようになっている。
【００４３】
第１の本受信機によれば、例えば時計用の低速クロックを流用して、間欠受信タイミングを生成し、当該タイミングによって間欠フレーム同期を行うことで、バッテリーセービングを達成しているので、消費電力を低減でき、かつコストを低減できる効果がある。
【００４４】
また、平均化手段の２つのデコーダに設定するデコーダ値を適切に変えれば、種々のデジタル通信方式にも対応できる効果がある。更に、平均化手段のデコーダの数を多くすれば、より精度の高い間欠受信タイミングを生成できる効果がある。
【００４５】
尚、本来ならば、受信手段４は、受信周波数の設定等を行うために、受信動作を行うよりも少々早く起動していなければならない。
そこで、第１の本受信機は制御手段を備え、平均化手段２の２つのデコーダ２２に設定するデコーダ値を少々小さめに調整するようにしておくことも考えられる。
【００４６】
また、本発明の第２の実施の形態に係る受信機は、第１の実施の形態に係る受信機を基に、専用の水晶発振子を用いずに間欠受信を実現するとともに、受信機を制御する制御手段が処理を行わないときには、当該制御手段に供給されるべきクロック信号の生成を一時的に停止するものであり、消費電力をより低減し、製造コストを低減できるものである。
【００４７】
本発明の第２の実施の形態に係る受信機（第２の本受信機）は、図２に示すように、低速クロック生成手段１と、平均化手段２と、セービングカウンタ３と、受信手段４と、制御手段５と、第１のＯＲゲート６と、第２のＯＲゲート７と、ディレイ回路８と、高速クロック生成手段９とから主に構成されている。図２は、第２の本受信機の構成ブロック図である。
【００４８】
以下、各部を具体的に説明するが、低速クロック生成手段１と、セービングカウンタ３とは、既に説明した第１の本受信機と同様のものであるので、説明を省略する。
但し、低速クロック生成手段１３は、高速クロック生成手段より低い周波数を生成するものとする。
【００４９】
また、平均化手段２は、第１の本受信機の平均化手段２とほぼ同様のものであるが、後に説明する第１のＯＲゲート６からリセット信号の入力を受けて、スロットカウンタ２１とセービングカウンタ３とがカウント値を「０」とする（リセットする）ようになっている点が少々異なっている。
【００５０】
また、セービングカウンタ３に設定されている値は、後に説明する制御手段５のＭＰＵ５１から入力を受けて設定が為されるようになっている。
【００５１】
受信手段４は、セービングカウンタ３から間欠受信タイミングを表す一致信号の入力を受けて起動し、受信動作を行うものである。
具体的には、受信手段４は、受信した信号から同期ワード（Sync Word 、以下「ＳＷ」と略称する）を検出し、ＳＷを検出したことを表す信号を出力するＳＷ検出器４１を備え、ＳＷが検出されてから１スロット時間だけ信号を受信するようになっているものである。
【００５２】
また、受信手段４は、ＳＷ検出器４１からＳＷを検出したことを表す信号の入力を受けてから上記の１スロット分の時間を計時し、ＳＷが検出されてから１スロット時間が経過すると、受信が終了したことを表す終了タイミング信号を出力するスロットカウンタ４２を備えているものである。
【００５３】
ここで、スロットカウンタ４２は、外部から入力されるシンボルクロック（ＴＥＣＬＫ）をカウントすることにより、１スロット時間を計時するようになっていることが考えられる。尚、シンボルクロックは、低速クロック生成手段１が出力するクロック信号そのものであっても構わない。
【００５４】
制御手段５は、後に説明する高速クロック生成手段９から高速なクロック信号（ＭＰＵＣＬＫ）の供給を受けて動作するＭＰＵ５１と、クリアレジスタ５２と、ＮＡＮＤ回路５３と、フリップフロップ回路５４とを具備し、本受信機を制御するものである。
【００５５】
また、制御手段５は、セービングカウンタ３から一致信号の入力を受けて、若しくは、外部からリセットを行う信号の入力を受けて、ＭＰＵ５１に入力されるクロック信号の開始又は停止を制御する信号（高速クロック制御信号）を出力するようになっている。
【００５６】
ここで、制御手段５の各部について説明する。
ＭＰＵ５１は、制御手段５を停止させるべき指示（停止命令）を定期的に出力し、停止状態となるものである。
また、ＭＰＵ５１は、外部から割り込み信号（ＭＰＵＩＮＴ）の入力を受けて、動作を再開するものである。
【００５７】
クリアレジスタ５２は、ＭＰＵ５１から停止命令の入力を受けると、一定の時間が経過した後に、リセット信号を出力するものである。
つまり、具体的には、クリアレジスタ５２は、通常「１」の信号を出力しており、リセット信号を出力する際には、「０」となるようになっている。
【００５８】
ＮＡＮＤ回路５３は、クリアレジスタ５２から入力される信号と、外部から入力される信号との論理積を演算し、さらに当該演算の結果を論理的に反転して出力するものである。
ここで、外部から入力される信号は、通常は「１」となっており、ハードウエア・リセットが行われると、「０」となるようになっている。
【００５９】
従って、ＮＡＮＤ回路５３が出力する信号は、通常は「０」となっているものであり、クリアレジスタ５２からリセット信号の入力を受けるか、又は、ハードウエア・リセットの信号の入力を受けると、「１」となるようになっている。
【００６０】
また、フリップフロップ回路５４の入力端子（Ｔ）は、セービングカウンタ３に接続されており、また、クリア端子（ＣＬＲ）は、反転入力端子となっており、ＮＡＮＤ回路５３から信号の反転入力を受けるようになっている。さらに、フリップフロップ回路５４の出力端子（Ｑ）から出力される信号は、そのまま高速クロック制御信号となる。
【００６１】
従って、フリップフロップ回路５４は、ＮＡＮＤ回路５３が「１」を出力している間は、出力端子（Ｑ）から「０」の高速クロック制御信号を出力し、ＮＡＮＤ回路５３が「０」を出力しているときに、一致信号が立ち上がるタイミングで、高速クロック制御信号を反転するようになっている。
【００６２】
第１のＯＲゲート６は、受信手段４のスロットカウンタ４２から入力される終了タイミング信号と、平均化手段２から入力されるスロットタイミング信号との論理和を演算することで、いずれかの信号が「１」となると、そのタイミングでリセットの信号（リセット信号）を、平均化手段２のスロットカウンタ２１に出力するものである。
【００６３】
第２のＯＲゲート７は、制御手段５から入力される高速クロック制御信号と、外部から入力される、ＭＰＵ５１の動作を開始すべき要因が発生したことを表す信号（復帰要因発生信号）との論理和を演算し、当該演算の結果をスイッチ信号として、高速クロック生成手段９に出力するものである。復帰要因発生信号としては、キー入力信号を含むものとする。
【００６４】
ディレイ回路８は、制御手段５から「１」の高速クロック制御信号が入力され、又は外部から復帰要因発生信号が入力されてから、一定時間が経過した後に、割り込み信号（ＭＰＵＩＮＴ）を制御手段５のＭＰＵ５１に出力するものである。
ここで、一定時間の経過を待つのは、後に説明する高速クロック発生手段９が生成するクロックが安定するまでの時間を考慮したものである。
【００６５】
具体的には、上記の一定時間は、１スロット時間であることが考えられる。その場合には、「１」の高速クロック制御信号、又は復帰要因発生信号が入力されてから、次に平均化手段２からスロットタイミング信号の入力を受けるタイミングまで待って、割り込み信号を出力するようにしておけばよい。
【００６６】
高速クロック生成手段９は、第２のＯＲゲート７からスイッチ信号の入力を受けて、スイッチ信号が「１」であるときには、高速クロックを生成して、制御手段５のＭＰＵ５１に供給し、スイッチ信号が「０」であるときには、高速クロックの生成を停止するようになっているものである。
【００６７】
具体的には、高速クロック生成手段９は、ＮＡＮＤ回路９１と、高速クロック用の水晶発振子（Ｘ’ｔａｌ）９２と、２つのコンデンサと、インバータ９３とから構成されていることが考えられる。
【００６８】
ＮＡＮＤ回路９１は、２入力のもので、一方の入力端子には水晶発振子９２の一端が、他方の入力端子には第２のＯＲゲート７の出力端子が接続されている。また、ＮＡＮＤ回路９１の出力端子には、水晶発振子９２の他端が接続されている。
【００６９】
水晶発振子９２の各端子は、それぞれコンデンサを介して接地されている。
インバータ９３は、ＮＡＮＤ回路９１が出力する信号を反転して外部に高速クロック信号（ＭＰＵＣＬＫ）として出力するようになっている。
【００７０】
つまり、高速クロック生成手段９は、第２のＯＲゲート７から「１」のスイッチ信号の入力を受けている間は、ＮＡＮＤ回路９１の出力が水晶発振子９２が発生するクロック信号を反転したものとなり、インバータ９３が、当該ＮＡＮＤ回路９１から出力される信号を反転して、高速クロック信号を出力しているようになる。
【００７１】
次に、第２の本受信機の動作について、図３を参照しつつ説明する。図３（ａ）は、第２の本受信機の動作を表すタイミングチャート図であり、図３（ｂ）は、図３（ａ）に示すタイミングチャートの１スロット時間を拡大したタイミングチャート図である。
尚、セービングカウンタ３に予め設定されている値は、「１０６」であるとする。ここで、設定した値を「１０８」でなく「１０６」としたのは、回路の起動時間等を考慮したものである。
【００７２】
低速クロック生成手段１が出力する低速なクロック信号（図３（ｂ）のＴＥＣＬＫ）は、平均化手段２のスロットカウンタ２１（図３（ｂ）のＳＡＶＥＳＵＢＣＮＴ）でカウントされ、デコーダ２２で分周される。
尚、ここで、平均化手段２のデコーダ２２には、それぞれ「Ｄ９ｈ」と「ＤＡｈ」とが設定されているものとしている。
【００７３】
そして、セレクタ２３が第１，第２のデコーダ２２から入力される分周されたクロック信号を交互に選択することで平均化し、スロットタイミング信号（図３（ｂ）のＳＡＶＥＣＬＫ）として出力する。このスロットタイミング信号は、１スロット時間当たり１度だけ立ち上がるパルス信号であり、スロットの開始点からおよそ３シンボル時間程度のずれを有するパルス信号である。
【００７４】
すると、スロットタイミング信号の入力を受けて、第１のＯＲゲート６の出力が立ち上がり、平均化手段２のスロットカウンタ２１がリセットされる。
【００７５】
また、セービングカウンタ３がスロットタイミング信号の入力を受けてカウント値（図３（ａ）のカウント値）をインクリメントし、当該カウント値が予め設定された「１０６」となると、一致信号を出力する。
そして、受信手段４が、一致信号の入力を受けて、起動する。
【００７６】
やがて、受信手段４のＳＷ検出器４１がＳＷを検出すると、受信手段４のスロットカウンタ４２が、当該検出のタイミングから１スロット時間を計時し、受信手段４が受信の動作を行うようになっている。
また、スロットカウンタ４２が、受信が終了するタイミングで、終了タイミング信号（図３（ｂ）のＳＵＢＦＣＬＫ）を出力する。
このようにして、間欠フレーム同期が実現されているようになる。
【００７７】
また、ＭＰＵ５１が処理を終了すると（為すべき処理がない状態になると）、停止命令をクリアレジスタ５２に出力し、停止状態（図３（ａ）のＳＴＡＮＤＢＹ）となる。
一方、クリアレジスタ５２は一定の時間経過した後にリセット信号を出力するようになる。
すると、ＮＡＮＤ回路５３と、フリップフロップ回路５４との働きにより、「０」の高速クロック制御信号が出力されるようになる。
【００７８】
すると、復帰要因発生信号も「０」の状態であるため、第２のＯＲゲート７が出力する信号も「０」となっており、高速クロック生成手段９がクロック信号を出力しないようになる。
【００７９】
やがて、セービングカウンタ３が一致信号を出力するタイミングとなり、フリップフロップ回路５４の入力端子Ｔに一致信号が入力されると、フリップフロップ回路５４が出力Ｑを反転して、「１」の高速クロック制御信号が出力されるようになる。
【００８０】
すると、第２のＯＲゲート７が出力する信号が「１」となって、高速クロック生成手段９がクロック信号を出力する状態（図３（ａ）のＡＣＴＩＶＥ）となる。
また、ディレイ回路８が「１」の高速クロック制御信号の入力を受けて、一定時間が経過した後に、割り込み信号（ＭＰＵＩＮＴ）を制御手段５のＭＰＵ５１に出力する。
そして、ＭＰＵ５１が動作を再開するようになる。
【００８１】
第２の本受信機によれば、時計用としても兼用できる低速クロックを用いて間欠受信タイミングを高い精度で生成でき、かつ、受信すべきスロットの前後でのみ制御手段を動作させ、それ以外の時間では、制御手段の動作を停止させることができ、消費電力を低減でき、コストを低減できる効果がある。
【００８２】
次に、本発明の第３の実施の形態に係る携帯端末（本携帯端末）について説明する。
本携帯端末は、上述した第１の本受信機又は第２の本受信機を携帯端末に適用したものであり、特に通信方式としてＰＤＣ方式とＰＨＳ方式のいずれにも対応可能とした携帯端末であり、専用の水晶発振子を用いずに間欠的に受信動作を行うと共に、受信機を制御する制御手段が処理を行わないときには、当該制御手段に供給されるべきクロック信号の生成を一時的に停止して、消費電力及び製造コストを低減することができるものである。
【００８３】
まず、本携帯端末の概略構成について図４を用いて説明する。図４は、本発明の第３の実施の形態に係る携帯端末（本携帯端末）の概略構成を示す構成ブロック図である。
図４に示すように、本発明の第３の実施の形態に係る携帯端末（本携帯端末）は、基本的な構成は一般の携帯端末と同様であり、無線信号の送受信を行うアンテナ１０と、送信データを変調してアンテナ１０に出力する送信機１６と、アンテナ１０にて受信された信号を復調する受信機１１と、送信信号の符号化及び受信信号の復号化や装置全体の制御を行う制御部１２と、音声とディジタルデータとの変換を行う音声信号処理部１３と、音声を入力するマイクと１４と、音声を出力するスピーカ１５と、操作キーを備えたキー入力部１７と、処理プログラムを記憶する記憶部１８とから構成されており、受信機１１の構成及び動作が本携帯端末の特徴となっている。
【００８４】
本携帯端末の特徴部分である受信機１１は、上述したＰＤＣ方式の他、ＰＨＳ（Personal Handy Phone System）方式にも対応可能としているものであり、受信機１１が、キー入力部１７から制御部１２を介して入力される選択信号に従って通信方式を選択し、選択された方式に対応したデータを各構成部に設定して、間欠受信動作を行うものである。尚、受信機１１の詳細については図５を用いて後述する。
【００８５】
また、制御部１２は、従来と同様に通話に伴う信号処理や、キー入力部１７からの入力信号に従って処理を行うものであり、また、本携帯端末では、ＰＤＣ方式とＰＨＳ方式とを切り替えて選択する選択信号が入力された場合には、選択信号を受信機１１に出力するものである。
【００８６】
本携帯端末の通話時の動作は、一般の携帯端末の動作と同様であり、送信時には、マイク１４から入力された音声は、音声信号処理部１３においてアナログ／ディジタル変換されて制御部１２に入力され、制御部１２において送信フォーマットに変換されて符号化され、受信機１６において変調されてアンテナ１０から無線信号として送信される。
【００８７】
また、受信時には、アンテナ１０で受信された信号は受信機１１にて復調され、制御部１２において復号化されて、更に携帯端末内部の信号フォーマットに変換され、音声信号処理部１３においてディジタル／アナログ変換されてスピーカ１５から出力されるようになっている。
そして、本携帯端末は、非通話時（待ち受け時）には間欠受信動を行って消費電力の低減を図るようにしている。
【００８８】
次に、本携帯端末の特徴部分である受信機１１の構成について図５を用いて具体的に説明する。図５は、第３の実施の形態に係る携帯端末（本携帯端末）の受信機１１の構成を示す構成ブロック図である。尚、図１及び図２と同様の構成部分については同一の符号を用いて説明する。
【００８９】
図５に示すように、受信機１１の基本的な構成は、図２に示した第２の本受信機の構成とほぼ同様であり、低速クロック生成手段１と、平均化手段２と、セービングカウンタ３と、と、制御手段５と、第１のＯＲゲート６と、第２のＯＲゲート７と、ディレイ回路８と、高速クロック生成手段９とを備えている。
【００９０】
上記構成部分の内、低速クロック生成手段１と、セービングカウンタ３と、第１のＯＲゲート６と、第２のＯＲゲート７と、ディレイ回路８と、高速クロック生成手段９とは第２の本受信機と同様のものであり、動作も同様となっている。また、平均化手段２と、制御手段５と、受信手段４の構成及び動作が第２の本受信機とは一部異なっている。
【００９１】
まず、平均化手段２のデコーダ２２ａ及び２２ｂは、制御手段５のＭＰＵ５１によって設定されたデコーダ値に従って動作するものであり、スロットカウンタ２１から入力されたカウント値が、ＭＰＵ５１によって設定されたデコーダ値に一致するとパルス信号を出力するものである。ここで、デコーダ２２ａとデコーダ２２ｂのデコーダ値は、通常、異なる値である。
【００９２】
また、本携帯端末の特徴部分である制御手段５は、第２の本受信機と同様のクリアレジスタ５２と、ＮＡＮＤ回路５３と、フリップフロップ回路５４に加えて、本携帯端末の特徴として、受信機１１の各構成部にデータの設定を行うＭＰＵ５１と、データを記憶するＲＯＭ５５とを備えている。
【００９３】
ＲＯＭ５５には、ＰＤＣ用の設定データの組と、ＰＨＳ用の設定データの組とが記憶されており、設定データとしては、デコーダ２２ａ及び２２ｂに設定するデコーダ値と、セービングカウンタ３のカウント値と、スロットカウンタ４２に設定するカウント値とを備えている。
また、ＭＰＵ５１には、現在選択されている方式がＰＤＣ方式であるかＰＨＳ方式であるかを記憶する方式記憶エリア（図示せず）が設けられている。
【００９４】
また、受信手段４は、ＰＤＣ方式の受信信号中のＳＷを検出するＰＤＣ用ＳＷ検出器４１ａと、ＰＨＳ方式の受信信号中のＳＷを検出するＰＨＳ用ＳＷ検出器４１ｂと、スロットカウンタ４２とを備えている。そして、制御手段５のＭＰＵ５１からの指示に従ってＰＤＣ用ＳＷ検出器４１ａ又はＰＨＳ用ＳＷ検出器４１ｂのいずれかが動作するようになっている。
また、スロットカウンタ４２には、ＭＰＵ５１によってＰＤＣ又はＰＨＳに対応した１スロット時間が設定されるようになっている。
【００９５】
次に、本携帯電話機の動作について説明する。
ＭＰＵ５１は、キー入力部１７から入力された選択信号が制御部１２を介して入力されると、方式記憶エリアに記憶されている方式（ＰＤＣ又はＰＨＳ）を選択された方式に更新し、ＲＯＭ５５から新たに選択された方式に対応するデータを読み取って、平均化手段２のデコーダ２２ａ，２２ｂと、セービングカウンタ３と、スロットカウンタ４２とに設定すると共に、受信手段の２つのＳＷ検出器４１の内、選択された方式に対応するＳＷ検出器４１を選択して動作させるようになっている。
【００９６】
また、他の構成部分の動作は図２に示した第２の本受信機の動作と同様であり、間欠受信動作を行い、処理がない場合には高速クロックの生成及びＭＰＵ５１の動作を停止するようになっている。
【００９７】
これにより、本携帯端末では、ＰＤＣ方式又はＰＨＳ方式の内、選択された通信方式に対応した値でデコーダ２２ａ，２２ｂ及びセービングカウンタ３、スロットカウンタ４２を動作させ、また、選択された方式に対応したＳＷ検出器４１ａ又は４１ｂを動作させて適切にＳＷを検出することができ、ＰＤＣ方式又はＰＨＳ方式に対応した間欠フレーム同期が行われるものである。
【００９８】
尚、ここでは、受信機１１における間欠受信動作の制御を、受信機１１内部に備えたＭＰＵ５１が行うようにしているが、受信機１１の一部、例えば、制御手段５及び高速クロック生成手段９を図４に示した制御部１２に設けても構わない。更に、受信手段４を除く全てを制御部１２に設けても構わない。
【００９９】
次に、ＲＯＭ５５に格納されるＰＤＣ用データとＰＨＳ用データの具体例を表１〜表４を用いて説明する。
ＰＤＣ方式において、１サブフレーム時間は６．６６６６６６７ｍｓであり、シンボルレートは２１ｋｓｐｓ（symbol per sec）であり、間欠受信間隔は７２０ｍｓとしている。ＰＨＳ方式において、１フレーム時間は５ｍｓであり、シンボルレートは１９２ｋｓｐｓであり、間欠受信間隔は１．２ｓ（秒）としている。
【０１００】
ＲＯＭ５５に格納される各データの内容としては、各デコーダ２２ａ，２２ｂのカウント値、セービングカウンタ３のカウント値、スロットカウンタ４２のカウント値となる。但し、スロットカウンタ４２に設定される値は１スロット時間と同等で、ＰＤＣ方式では６．６６６６６６７ｍｓ、ＰＨＳ方式では５ｍｓであり、ここでは説明を省略している。尚、本実施の形態においては、デコーダを２個用いた場合を説明しているが、デコーダが３個以上であっても構わない。従って、表１，表３においてはデコーダを２個使用する場合について記述しており、表２、表４においては、デコーダを３個使用する場合について記述している。
【０１０１】
ＰＤＣ用データに関する［表１］では、デコーダ１のカウント値を２１９とし、デコーダ２のカウント値を２１８とし、セービングカウンタのカウント値を１０８として設定した場合の、デコーダ間隔、タイマー時間、時間ずれ、シンボルずれを示している。
【０１０２】
【表１】
0004001686.tif 000005
【０１０３】
ＰＤＣ用データに関する［表２］では、デコーダ１のカウント値を２２６とし、デコーダ２のカウント値を２２４とし、デコーダ３のカウント値を２２４とし、セービングカウンタのカウント値を１０５として設定した場合の、デコーダ間隔、タイマー時間、時間ずれ、シンボルずれを示している。
【０１０４】
【表２】
0004001686.tif 000006
【０１０５】
ＰＨＳ用データに関する［表３］では、デコーダ１のカウント値を１６５とし、デコーダ２のカウント値を１６４とし、セービングカウンタのカウント値を２３９として設定した場合の、デコーダ間隔、タイマー時間、時間ずれ、シンボルずれを示している。
【０１０６】
【表３】
0004001686.tif 000007
【０１０７】
ＰＨＳ用データに関する［表４］では、デコーダ１のカウント値を２０とし、デコーダ２のカウント値を２０とし、デコーダ３のカウント値を２１とし、セービングカウンタのカウント値を１９３４として設定した場合の、デコーダ間隔、タイマー時間、時間ずれ、シンボルずれを示している。
【０１０８】
【表４】
0004001686.tif 000008
【０１０９】
以上の設定値について、デコーダで換算する間隔は、高速クロックの立ち上がり時間を考慮する必要があり、通常、５ｍｓ前後となる。そのためデコーダ間隔も５ｍｓ前後でなければならない。可能ならＰＤＣシステムの場合、サブフレーム時間に近傍な時間であった方が使い易く、ＰＨＳシステムの場合、フレーム時間が適当である。
【０１１０】
ずれ時間は、間欠受信の時に同期ワードの捕捉において誤同期とならない水準（程度）である必要がある。但し、どの程度で誤同期になるかはシステムの作り方に非常に起因するため、例えば、予め周波数の偏差を含んで、間欠フレーム制御でのずれ時間を予め逆算しておき、間欠受信用の本実施の形態に係るカウンタの起動を逆算してずらす等を行えば問題にならないものとなる。
【０１１１】
本発明の第３の実施の形態に係る携帯端末（本携帯端末）によれば、受信機として第２の本受信機を備え、更に、予めＲＯＭ５５にＰＤＣ方式とＰＨＳ方式のそれぞれの方式に対応したデコーダ２２ａ及び２２ｂのデコーダ値と、セービングカウンタ３のカウンタ値と、スロットカウンタ４２のカウンタ値のデータとをＲＯＭ５５に記憶しておき、また、受信手段４にＰＤＣ用ＳＷ検出器４１ａ及びＰＨＳ用ＳＷ検出器４１ｂを備え、制御手段５のＭＰＵ５１が、外部からの入力により選択された方式に対応したデータをＲＯＭ５５から読み取って、デコーダ２２ａ，２２ｂと、セービングカウンタ３と、スロットカウンタ４２とに設定し、また、選択された方式に対応したＳＷ検出器４１を選択して動作させるようにしているので、時計用としても兼用できる低速クロックを用いて、ＰＤＣ方式又はＰＨＳ方式の双方に対応した間欠受信タイミングを高い精度で生成でき、且つ、受信すべきスロットの前後でのみ制御手段５を動作させ、それ以外の時間では制御手段５の動作を停止させて消費電力を低減し、コストを低減することができる効果がある。
【０１１２】
また、ＰＤＣ及びＰＨＳだけでなく、他のディジタル通信方式に対しても、当該方式に対応するデコーダ２２ａ及び２２ｂのデコーダ値と、セービングカウンタ３の設定値と、スロットカウンタ４２の設定値のデータとを記憶しておき、当該方式に対応するＳＷ検出器を備えておけば、ＰＤＣ及びＰＨＳと同様に間欠フレーム同期を行うことができ、同様の効果を得ることができる。
【０１１３】
【発明の効果】
請求項１記載の発明によれば、平均化手段が任意の周期で発振するクロック信号を各々別の周期で分周し、それぞれ分周したクロック信号を平均化してスロットタイミング信号を生成し、セービングカウンタが当該スロットタイミング信号をカウントして、当該カウント値が予め設定された値に一致すると、一致信号を出力し、受信手段が一致信号の入力を受けてから、１スロット時間だけ受信を行う受信機としているので、バッテリーセービングを実現するためのクロック信号を他のクロック信号と共用することができ、消費電力を低減でき、かつコストを低減できる効果があり、かつ平均化手段を用いることで、間欠受信タイミングの精度を維持できる効果がある。
【０１１４】
請求項２記載の発明によれば、平均化手段が、クロック信号の入力を受ける度にカウント値をインクリメントするスロットカウンタと、カウント値と予め設定されている第１の値とを比較して、一致すると一致したことを表すパルス信号を出力する第１のデコーダと、カウント値と予め設定されている第２の値とを比較して、一致すると一致したことを表すパルス信号を出力する第２のデコーダと、第１，第２のデコーダが出力するパルス信号を交互に選択して、１スロット時間に１度立ち上がるパルス信号となるスロットタイミング信号を外部に出力するセレクタとを有する請求項１記載の受信機としているので、バッテリーセービングを実現するためのクロック信号を他のクロック信号と共用することができ、消費電力を低減でき、かつコストを低減できる効果があり、また、各々別の周期で分周したクロック信号を平均化することで、間欠受信タイミングの精度を高めることができる効果がある。
【０１１５】
請求項３記載の発明によれば、クロック信号が時計用のクロックが出力する請求項１又は請求項２記載の受信機としているので、バッテリーセービングを実現するためのクロック信号を時計用のクロック信号と共用することができ、消費電力を低減でき、かつコストを低減できる効果があり、間欠受信タイミングの精度を維持することができる効果がある。
【０１１６】
請求項４記載の発明によれば、時計用のクロックから入力されるクロック信号を各々別の周期で分周し、それぞれ分周したクロック信号を平均化して、スロットタイミング信号を生成し、当該スロットタイミング信号をカウントして、予め設定した一定の数に達するごとに、１スロット時間だけ受信を行う間欠フレーム同期方法としているので、バッテリーセービングを実現するためのクロック信号を時計用のクロック信号と共用することができ、消費電力を低減でき、かつコストを低減できる効果があり、別の周期で分周したクロック信号を平均化することで、間欠受信タイミングの精度を維持できる効果がある。
【０１１７】
請求項５記載の発明によれば、平均化手段が、低速クロック生成手段から入力されるクロック信号からスロットタイミング信号を生成し、セービングカウンタが、スロットタイミング信号をカウントし、予め設定された値になると、一致信号を出力し、受信手段が一致信号が出力されてから１スロットの時間だけ受信を行うとともに、制御手段が、為すべき処理がない状態になると停止状態となり、割り込み信号の入力を受けて処理を再開するＭＰＵを備え、ＭＰＵが停止状態になると高速クロックの生成を停止するための高速クロック制御信号を出力し、高速クロック信号生成部が、当該高速クロックの生成を停止するための高速クロック制御信号の入力を受けると、クロック信号の生成を停止し、一致信号の入力を受けるとクロック信号の生成を開始し、一方、ディレイ回路が一致信号の入力を受けてから一定の時間が経過してから割り込み信号をＭＰＵに出力する受信機としているので、バッテリーセービングを実現するためのクロック信号を他のクロック信号と共用することができ、かつ為すべき処理がない間は、ＭＰＵに対するクロック信号の供給を停止できるため、消費電力を低減でき、コストを低減できる効果があり、平均化手段を用いることで、間欠受信タイミングの精度を維持できる効果がある。
【０１１８】
請求項６記載の発明によれば、請求項１記載の受信機を備えた携帯端末としているので、携帯端末において、バッテリーセービングを実現するためのクロック信号を他のクロック信号と共用することができ、消費電力を低減でき、かつコストを低減できる効果があり、かつ平均化手段を用いることで、間欠受信タイミングの精度を維持できる効果がある。
【０１１９】
請求項７記載の発明によれば、請求項２記載の受信機を備えた携帯端末としているので、携帯端末において、バッテリーセービングを実現するためのクロック信号を他のクロック信号と共用することができ、消費電力を低減でき、かつコストを低減できる効果があり、また、各々別の周期で分周したクロック信号を平均化することで、間欠受信タイミングの精度を高めることができる効果がある。
【０１２０】
請求項８記載の発明によれば、請求項３記載の受信機を備えた携帯端末としているので、バッテリーセービングを実現するためのクロック信号を時計用のクロック信号と共用することができ、消費電力を低減でき、かつコストを低減できる効果があり、間欠受信タイミングの精度を維持することができる効果がある。
【０１２１】
請求項９記載の発明によれば、請求項５記載の受信機を備えた携帯端末としているので、バッテリーセービングを実現するためのクロック信号を他のクロック信号と共用することができ、かつ為すべき処理がない間は、ＭＰＵに対するクロック信号の供給を停止できるため、消費電力を低減でき、コストを低減できる効果があり、平均化手段を用いることで、間欠受信タイミングの精度を維持できる効果がある。
【０１２２】
請求項１０記載の発明によれば、平均化手段が、低速クロック生成手段から入力されるクロック信号からスロットタイミング信号を生成し、セービングカウンタが、スロットタイミング信号をカウントし、予め設定された値になると、一致信号を出力し、受信手段が一致信号が出力されてから予め設定された１スロット時間だけ受信を行うとともに、制御手段が、為すべき処理がない状態になると停止状態となり、割り込み信号の入力を受けて処理を再開するＭＰＵを備え、ＭＰＵが停止状態になると高速クロックの生成を停止するための高速クロック制御信号を出力し、高速クロック信号生成部が、当該高速クロックの生成を停止するための高速クロック制御信号の入力を受けると、クロック信号の生成を停止し、一致信号の入力を受けるとクロック信号の生成を開始し、一方、ディレイ回路が一致信号の入力を受けてから一定の時間が経過してから割り込み信号をＭＰＵに出力し、平均化手段が、クロック信号の入力を受ける度にカウント値をインクリメントするスロットカウンタと、カウント値と予め設定されている第１の値とを比較して、一致すると一致したことを表すパルス信号を出力する第１のデコーダと、カウント値と予め設定されている第２の値とを比較して、一致すると一致したことを表すパルス信号を出力する第２のデコーダと、第１，第２のデコーダが出力するパルス信号を交互に選択して、１スロット時間に１度立ち上がるパルス信号となるスロットタイミング信号を外部に出力するセレクタとを有する受信機としているので、バッテリーセービングを実現するためのクロック信号を他のクロック信号と共用することができ、かつ為すべき処理がない間は、ＭＰＵに対するクロック信号の供給を停止できるため、消費電力を低減でき、かつコストを低減できる効果があり、また、各々別の周期で分周したクロック信号を平均化することで、間欠受信タイミングの精度を高めることができる効果がある。
【０１２３】
請求項１１記載の発明によれば、ＳＷ検出器が複数の通信方式毎に対応して複数設けられ、制御手段が、複数の通信方式毎に対応して、第１のデコーダと、第２のデコーダと、セービングカウンタと、スロットカウンタとに設定するデータの組を記憶した記憶部を備え、ＭＰＵが、外部から入力された通信方式を選択する信号に基づいて、記憶部を参照して、選択された通信方式に対応するデータの組を選択し、当該組に含まれるデータを第１のデコーダと、第２のデコーダと、セービングカウンタと、スロットカウンタとに設定し、複数のＳＷ検出器の中から、選択された通信方式に対応するＳＷ検出器を選択して動作させる請求項１０記載の受信機としているので、複数の通信方式の内、選択された通信方式に対応した間欠受信タイミングを生成することにより、１台の受信機で複数の通信方式の信号を間欠受信することができ、消費電力及びコストを低減し、更に利便性を向上させることができる効果がある。
【０１２４】
請求項１２記載の発明によれば、請求項１１記載の受信機を備えた携帯端末としているので、携帯端末において、複数の通信方式の内、選択された通信方式に対応した間欠受信タイミングを生成することにより、１台の受信機で複数の通信方式の信号を間欠受信することができ、消費電力及びコストを低減し、更に利便性を向上させることができる効果がある。
【０１２５】
請求項１３記載の発明によれば、通信方式として、パーソナル・ディジタル・セルラー（ＰＤＣ）方式と、パーソナル・ハンディホン・システム（ＰＨＳ）方式を含む請求項１２記載の携帯端末としているので、１台の携帯端末でＰＤＣ方式とＰＨＳ方式の両方の信号を間欠受信することができ、消費電力及びコストを低減し、更に利便性を向上させることができる効果がある。
【図面の簡単な説明】
【図１】第１の本受信機の構成ブロック図である。
【図２】第２の本受信機の構成ブロック図である。
【図３】図３（ａ）は、第２の本受信機の動作を表すタイミングチャート図であり、図３（ｂ）は、図３（ａ）に示すタイミングチャートの１スロット時間を拡大したタイミングチャート図である。
【図４】本発明の第３の実施の形態に係る携帯端末（本携帯端末）の概略構成を示す構成ブロック図である。
【図５】第３の実施の形態に係る携帯端末（本携帯端末）の受信機１１の構成を示す構成ブロック図である。
【符号の説明】
１…低速クロック生成手段、  ２…平均化手段、  ３…スロットカウンタ、  ４…受信手段、  ５…制御手段、  ６…第１のＯＲゲート、  ７…第２のＯＲゲート、  ８…ディレイ回路、  ９…高速クロック生成手段、  １０…アンテナ、１１…受信機、  １２…制御部、  １３…音声信号処理部、  １４…マイク、１５…スピーカ、  １６…送信機、  １７…キー入力部、  １８…記憶部、  ２１…スロットカウンタ、  ２２…デコーダ、  ２３…セレクタ、  ４１…ＳＷ検出器、  ４１ａ…ＰＤＣ用ＳＷ検出器、  ４１ｂ…ＰＨＳ用ＳＷ検出器、  ４２…スロットカウンタ、  ５１…ＭＰＵ、  ５２…クリアレジスタ、  ５３…ＮＡＮＤ回路、  ５４…フリップフロップ回路、  ９１…ＮＡＮＤ回路、  ９２…水晶発振子、  ９３…ＮＯＲ回路
【図１】
0004001686.tif 000009
【図２】
0004001686.tif 000010
【図３】
0004001686.tif 000011
【図４】
0004001686.tif 000012
【図５】
0004001686.tif 000013